(57)【要約】【課題】  返却硬貨を顧客が取り出さないことによる受取タイムアウトの発生を防止するとともに、受取タイムアウトが防止できない場合でも硬貨によるジャムの発生を防止することのできる硬貨入出金装置を提供する。【解決手段】  顧客から入出金口２に投入された硬貨を鑑別部７で計数し、計数値が所定値以上になると取引限度オーバーになり、その時点で入出金口２のシャッタ３を開け、入出金口２に残っている硬貨を顧客がすぐに取り出せるようにする。【選択図】  図１
2006119834.tif 000002
【特許請求の範囲】
【請求項１】
シャッタを有する入出金部に顧客から投入される硬貨が限度量を超えた場合に少なくとも超えた分の硬貨を顧客に返却する硬貨入出金装置において、
前記入出金部に顧客により投入された硬貨の枚数を計数する計数手段を有し、
前記計数手段により計数される硬貨の枚数が前記限度量に達した時点で、前記シャッタを開け、前記限度量を超えた分の硬貨を前記入出金部へ搬送し、該入出金部内の硬貨を取り出し可能にしたことを特徴とする硬貨入出金装置。
【請求項２】
前記計数手段により計数された硬貨の枚数が前記限度量に達する前に計数された硬貨は収納手段に収納され、
前記計数手段により計数された硬貨の枚数が前記限度量に達してから所定時間経過しても前記入出金部内の硬貨が取り出されない場合、前記収納手段に収納された硬貨は前記入出金部とは異なる排出部から装置外へ排出される請求項１記載の硬貨入出金装置。
【請求項３】
シャッタを有する入出金部に顧客から投入される硬貨が限度量を超えた場合に少なくとも超えた分の硬貨を顧客に返却する硬貨入出金装置において、
前記入出金部に顧客により投入された硬貨の枚数を計数する計数手段を有し、
前記計数手段により計数された硬貨の枚数が前記限度量に達してから所定時間経過した時点で、前記計数手段により計数された硬貨は収納手段に収納され、前記限度量を超えた分の硬貨は前記入出金部に存在し、
前記所定時間が経過しても前記入出金部内の硬貨が取り出されない場合、前記収納手段に収納された硬貨は前記入出金部とは異なる排出部から装置外へ排出されることを特徴とする硬貨入出金装置。
【請求項４】
前記排出部は異物返却口である請求項２または３記載の硬貨入出金装置。
【発明の詳細な説明】
【技術分野】
【０００１】
本発明は、入出金部に顧客から投入される硬貨が限度量を超えた場合に超えた分の硬貨を顧客に返却する硬貨入出金装置に関する。
【背景技術】
【０００２】
従来、硬貨入出金装置においては入出金部に顧客から硬貨が投入される。入出金部は例えば５００円硬貨が１００枚程度投入される大きさになっており、１円硬貨では２５０枚程度が投入可能である。入金硬貨として入出金部に投入された硬貨は、装置内に取り込まれ、鑑別部で金種、真偽等を鑑別された後、金種毎に一時保留部へ一時的に保留される。そして顧客により入金取引が成立された後、一時保留部の硬貨が金種別の硬貨収納部に収納される。一時保留部は入金時に一時的に入金硬貨を収納するものであるが、その収納枚数には限度があり、各金種とも１００枚程度が限度枚数となっている。このような従来の硬貨入出金装置を示すものとして、例えば特開平７−５７１２９号公報が挙げられる。
【特許文献１】特開平７−５７１２９号公報
【発明の開示】
【発明が解決しようとする課題】
【０００３】
しかしながら従来の硬貨入出金装置の入出金部は、例えば５００円硬貨ならば１００枚程度で満杯になるが、１円硬貨の場合は２５０枚程度収容可能である。そのため一時保留部の収納限度を超える枚数の硬貨が入出金部に投入されることがあり、この場合には収納限度を超えた分の過剰硬貨は顧客に返却されるようになっている。
【０００４】
顧客への過剰硬貨の返却は次のように行われる。すなわち、収納可能な枚数の硬貨をすべて一時保留部へ収納し終わった後、残りの過剰硬貨を入出金部へ搬送して戻す。そして入出金部のシャッタを開け、過剰硬貨を顧客に取り出させるのである。
【０００５】
顧客が過剰硬貨を取り出すと、一時保留部に保留されている硬貨を金種別に収納部へ収納するが、入出金部に戻された過剰硬貨を顧客が取り出さなかった場合には、受取タイムアウトとなり、エラー停止となる。その後、エラー後リセット動作として、一時保留部に保留されている硬貨も入出金部へ戻される。このとき入出金部にはすでに過剰硬貨が一方向から運び入れられて収容されており、その上に新たに硬貨が同一方向から運び入れられるので、硬貨が入出金部の端部に密集し、さらに後続の硬貨があると、硬貨同士が衝突してジャムが発生するという問題があった。
【０００６】
そこで本発明は、返却硬貨を顧客が取り出さないことによる受取タイムアウトの発生を防止するとともに、仮に受取タイムアウトが防止できない場合でも硬貨によるジャムの発生を防止することのできる硬貨入出金装置を提供することを目的とする。
【課題を解決するための手段】
【０００７】
上記課題を解決するために本発明は、シャッタを有する入出金部に顧客から投入される硬貨が限度量を超えた場合に少なくとも超えた分の硬貨を顧客に返却する硬貨入出金装置において、前記入出金部に顧客により投入された硬貨の枚数を計数する計数手段を有し、前記計数手段により計数される硬貨の枚数が前記限度量に達した時点で、前記シャッタを開け、前記限度量を超えた分の硬貨を前記入出金部へ搬送し、該入出金部内の硬貨を取り出し可能にしたことを特徴とするものである。
【０００８】
また他の発明は、シャッタを有する入出金部に顧客から投入される硬貨が限度量を超えた場合に少なくとも超えた分の硬貨を顧客に返却する硬貨入出金装置において、前記入出金部に顧客により投入された硬貨の枚数を計数する計数手段を有し、前記計数手段により計数された硬貨の枚数が前記限度量に達してから所定時間経過した時点で、前記計数手段により計数された硬貨は収納手段に収納され、前記限度量を超えた分の硬貨は前記入出金部に存在し、前記所定時間が経過しても前記入出金部内の硬貨が取り出されない場合、前記収納手段に収納された硬貨は前記入出金部とは異なる排出部から装置外へ排出されることを特徴とするものである。
【発明の効果】
【０００９】
本発明によれば、計数手段により計数される硬貨の枚数が限度量に達した場合に、すぐに入出金部のシャッタを開けるので、顧客は入出金部内の硬貨をすぐに取り出し可能になり、受取タイムアウトを防止できる。
【００１０】
また他の発明によれば、計数手段により計数される硬貨の枚数が限度量に達した場合に、まだ計数されていない硬貨は入出金部に搬送される。すでに計数された硬貨は収納手段に収納され、計数手段により計数された硬貨の枚数が限度量に達してから所定時間経過しても入出金部内の硬貨が取り出されない場合、収納手段に収納された硬貨は入出金部とは異なる排出部から装置外へ排出されるので、入出金部で硬貨が密集することがなく、硬貨のジャムは発生しない。
【発明を実施するための最良の形態】
【００１１】
以下、本発明の実施の形態を図面にしたがって説明する。各図面に共通する要素には同一の符号を付す。図１は本発明の第1の実施の形態の硬貨入出金装置を示す概略構成図である。図１において、硬貨入出金装置１は自動取引装置に内蔵されるものであり、硬貨入出金装置１には、入金硬貨の受け入れおよび出金硬貨の受け渡しを行う入出金口２、入出金口２の開閉を行うシャッタ３、および複数の搬送路に接続され、搬送路５から送られてくる硬貨を受け取るとともに受け取った硬貨を搬送路６へ分離して繰出す分離繰出し部４が設けられている。
【００１２】
入出金口２は搬送路５および搬送路６を介して分離繰出し部４に接続されている。搬送路５は入出金口２内の硬貨を分離繰出し部４へ搬送する。搬送路６は分離繰出し部４内の硬貨を入出金口２へ搬送するもので、搬送路６には鑑別部７および複数の選別ゲート８が設けられている。鑑別部７は、硬貨の金種を判別するとともに計数を行う。選別ゲート８は、硬貨を金種毎に一時保留部９へ取り込むものである。
【００１３】
選別ゲート８の下方には一時保留部９が金種毎に設けられている。一時保留部９は、顧客により入金されて選別ゲート８から取り込まれた入金硬貨を金種別に一時保留し、顧客による投入金額の確認後、下方の金種スタッカ１０に落下させるものである。金種スタッカ１０は、出金用の硬貨を金種別に収納するものである。また図示していないが、一時保留部９の下方には硬貨の搬送路が設けられており、この搬送路により一時保留部９内の硬貨を分離繰出し部４へ搬送できるようになっている。
【００１４】
金種スタッカ１０の右側には補充回収カセット１１が配設されている。補充回収スタッカ１１は、金種スタッカ１０内に硬貨が収納されていない場合の硬貨の装填や各種処理によって装置内部の硬貨が不足した場合の補充、あるいは装置内の硬貨の回収を行うものである。金種カセット１０の下方には、金種カセット１０から落下した硬貨、および補充回収カセット１１から繰出された硬貨を、分離繰出し部４へ搬送するための搬送路１２が設けられている。
【００１５】
図２は第１の実施の形態の硬貨入出金装置の要部ブロック図である。図２において、制御部２１は硬貨入出金装置１の動作全体を制御するもので、ＣＰＵおよび周辺回路により構成される。制御部２１には、鑑別部７、シャッタ駆動部２２、搬送駆動部２３およびゲート駆動部２４が接続され、制御部２１はこれら各部を制御する。また制御部２１には、入出金口２内の硬貨の有無を検出する検出センサ２５が接続されている。
【００１６】
シャッタ駆動部２２は、入出金口２に設けられているシャッタ３の開閉動作を行う。搬送駆動部２３は、各搬送路５、６、１２を駆動して硬貨の搬送を行う。ゲート駆動部２４は、搬送路６に設けられた選別ゲート８を駆動するもので、選別ゲート８を駆動することで硬貨を一時保留部９内へ落下させる。
【００１７】
次に第１の実施の形態の動作を図３のフローチャートに従って説明する。図３は第１の実施の形態の動作を示すフローチャートである。ここでは、入金処理において顧客が限度量以上の硬貨を入出金口に投入した場合の動作を説明する。顧客が入金取引を選択すると（ステップ１）、シャッタ３が開き（ステップ２）、硬貨を投入可能になる。顧客が硬貨を投入すると（ステップ３）、シャッタ３は閉じられ（ステップ４）、制御部２１の指示により搬送駆動部２３が駆動され、入出金口２内の硬貨が搬送路５を介して分離繰出し部４へ搬送される。
【００１８】
分離繰出し部４では搬送されてきた硬貨を１枚ずつ搬送路６へ送り出す。搬送路６へ送られた硬貨は鑑別部７で金種判別されるとともに計数される（ステップ５）。判別結果および計数結果は制御部２１へ送られる。制御部２１では計数結果を図示しない記憶部に記憶しておく。鑑別部７を通過した硬貨は、選別ゲート８により金種毎に一時保留部９へ落下され、ここに収納される。
【００１９】
以上の動作が繰り返し行われ、硬貨が鑑別部７を１枚通過するごとに、制御部２１には計数値が１ずつ加算される。硬貨の計数は金種毎に行われ、或る金種の計数値が、一時保留部９に収納できる最大枚数を超えると、即ち取引限度オーバーが発生すると（ステップ６）、制御部２１は、シャッタ駆動部２２を駆動してシャッタ３を開ける（ステップ７）。そして、まだ計数していない返却すべき硬貨を分離繰出し部４から搬送路６を矢印ａ方向に搬送して入出金口２へ送る（ステップ８）。
【００２０】
このとき図示しない表示部に、入出金口２内の硬貨を取り出すべき旨のガイダンスを表示するようにしてもよい。また返却すべき硬貨を搬送路６を経て入出金口２へ送る場合、硬貨は一方向から入出金口２へ送られるので、入出金口２の端部に硬貨が密集する惧れがある。したがって入出金口２の端部における硬貨の密集を検出センサ２５で検出可能とし、検出センサ２５が硬貨の密集を検出した場合には搬送動作を一時中断し、顧客が硬貨を取り出して密集状態が解消された後、搬送動作を再開するようにしてもよい。
【００２１】
このように、取引限度オーバーが発生した場合、すぐに入出金口２のシャッタ３を開けて、入出金口２内の硬貨を取り出し可能にしたので、顧客の取り出し忘れを防止することが可能になる。分離繰出し部４内の残りの硬貨は順次入出金口２へ搬送され、顧客は搬送されてきた硬貨を取り出すことになる。
【００２２】
顧客が入出金口２から硬貨をすべて取り出すと（ステップ９）、検出センサ２５により検出信号が制御部２１へ送られる。これにより制御部２１はシャッタ３を閉め（ステップ１０）、図示しない表示部に、これまでに一時保留部９に収納した硬貨について、入金処理をするかどうかを顧客に問い合わせるガイダンスを表示する。顧客が入金処理を実行する旨の操作をすると（ステップ１１）、一時保留部９に保留されている硬貨は金種スタッカ１０へ金種毎に収納され（ステップ１２）、入金取引を終了する。
【００２３】
ステップ８において、所定時間経過しても入出金口２内の硬貨を顧客が取り出さない場合（ステップ１３）、タイムアウトエラー処理が行われる（ステップ１４）。タイムアウトエラー処理として、一時保留部９に保留されている硬貨を図示しない一時保留部９の下方に設けられた搬送路により分離繰出し部４へ搬送し、さらに分離繰出し部４から搬送路６を通って入出金口２へ搬送する。
【００２４】
またステップ１１において顧客が入金処理を実行する旨の操作をしなかった場合、一時保留部９に保留されている硬貨を図示しない一時保留部９の下方に設けられた搬送路により分離繰出し部４へ搬送し、分離繰出し部４から搬送路６を通って入出金口２へ搬送し、顧客に返却する（ステップ１５）。さらにステップ６において取引限度オーバーが発生しなかった場合は、ステップ１１以降の動作に移行する。
【００２５】
以上のように第１の実施の形態によれば、取引限度オーバーが発生した場合、すぐに入出金口２のシャッタ３を開けて、入出金口２からの硬貨の取り出しをすぐに可能にしたので、顧客の取り出し忘れを防止することが可能になる。
【００２６】
次に第２の実施の形態を説明する。第２の実施の形態は、取引限度オーバーが発生した後、受取タイムアウトエラーが発生した場合、硬貨を分割して顧客に返却するようにしたものである。図４は第２の実施の形態の硬貨入出金装置を示す概略構成図である。
【００２７】
図４において、第２の実施の形態の硬貨入出金装置３１には、分離繰出し部４に接続して異物搬送路３２が設けられている。異物搬送路３２は、分離繰出し部４に異物が混入した場合に混入した異物を装置外へ排出するための搬送路で、その終端が異物返却口３３となっている。その他の装置構成は第１の実施の形態と同様である。
【００２８】
次に第２の実施の形態の動作を図５に示すフローチャートにしたがって説明する。図５は第２の実施の形態の動作を示すフローチャートである。図５において、ステップ１からステップ１３までの動作は第１の実施の形態と同様である。ステップ１３において受取タイムアウトエラーが発生した時点では、取引限度オーバー発生後に搬送路６を搬送された硬貨が入出金口２に存在し、取引限度オーバー発生前に計数された硬貨が一時保留部９に収納されている。
【００２９】
受取タイムアウトエラーになると、入出金口２のシャッタ３を引き続き開けた状態にして、入出金口２内の硬貨を顧客に取り出し可能にする。また一時保留部９内の硬貨を図示しない搬送路により分離繰出し部４へ搬送し、分離繰出し部４から異物搬送路３２へ搬送する（ステップ１６）。これにより顧客は異物返却口３３から硬貨を取り出せるようになる。このとき図示しない表示部に、異物返却口３３から硬貨を返却する旨のガイダンスを表示する。
【００３０】
以上のように第２の実施の形態では、受取タイムアウトエラーが発生し、入出金口２に硬貨が存在する場合に、一時保留部９に収納されている硬貨を異物返却口３３に返却するようにしたので、従来例のように入出金口２の端部で硬貨が詰まってジャムが発生するのを防止できる。
【００３１】
上述の第２の実施の形態では、取引限度オーバーが発生した時点でシャッタ３を開け、すぐに入出金口２からの硬貨の取り出しを可能にした場合を説明しているが、これに限らず、分離繰出し部４内の硬貨を全て入出金口２へ送った後シャッタ３を開けるようにした場合でも、入出金口２付近における硬貨のジャムの発生を防止することができる。
【００３２】
上記各実施の形態は、自動取引装置に内蔵される硬貨入出金装置を例に説明したが、本発明は券売機にも適用可能である。
【図面の簡単な説明】
【００３３】
【図１】第1の実施の形態の硬貨入出金装置を示す概略構成図である。
【図２】第１の実施の形態の硬貨入出金装置の要部ブロック図である。
【図３】第１の実施の形態の動作を示すフローチャートである。
【図４】第２の実施の形態の硬貨入出金装置を示す概略構成図である。
【図５】第２の実施の形態の動作を示すフローチャートである。
【符号の説明】
【００３４】
１  硬貨入出金装置
２  入出金口
３  シャッタ
７  鑑別部
２１  制御部
３３  異物返却口
【図１】
2006119834.tif 000003
【図２】
2006119834.tif 000004
【図３】
2006119834.tif 000005
【図４】
2006119834.tif 000006
【図５】
2006119834.tif 000007